(57)【特許請求の範囲】
【請求項１】
互いに重なり合う前面部と後面部とから袋が形成され、前記前面部と前記後面部とが、前記袋の内側に位置する可撓性かつ透液性表面シートと、前記袋の外側に位置する可撓性かつ不透液性裏面シートと、前記表裏面シートの間に介在する半剛性かつ吸液性コアとから形成され、前記袋が、互いに対向して長手方向へ延びる両側部と、互いに対向して幅方向へ延びる上下端部とを有し、ペニスを挿脱可能なペニス挿入部が、前記袋の上端部に形成された男性用使い捨て尿取り袋において、
前記尿取り袋には、その下端部の幅方向中央から上端部に向かって凸となる逆Ｖ形の凹陥部と、前記凹陥部の幅方向両側に位置して前記上端部から前記下端部に向かって次第に幅が狭くなる先細形状の一対の脚部とが形成され、
前記尿取り袋では、前記脚部どうしが幅方向内方へ移動かつ互いに当接することで、該尿取り袋がその上端部から下端部に向かって次第に幅が狭くなる先細り形状を呈するとともに、前記前面部と前記後面部とが互いに離間して前記尿取り袋の内部に空間が形成されることを特徴とする前記尿取り袋。
【請求項２】
前記脚部の少なくとも一方には、それら脚部を互いに当接させたときに、それら脚部の当接状態を維持するための係着手段が形成されている請求項１記載の袋。
【請求項３】
前記袋の下端部から前記凹陥部の頂部までの寸法が、前記袋の上下端部の間の寸法の１０〜５０％の範囲にある請求項１または請求項２記載の袋。
【発明の詳細な説明】
【０００１】
【発明の属する技術分野】
本発明は、寝たきりの病人や老人、失禁患者等に使用する男性用の使い捨て尿取り袋に関する。
【０００２】
【従来の技術】
特開平９−３８１２６号公報は、透液性表面シートと、不透液性裏面シートと、それら両シートの間に介在する吸液性コアとから構成された縦長の男性用使い捨て尿取りパッドを開示している。パッドには、それらシートとコアとを貫通するペニス挿入孔がパッドの一方の端縁に偏倚して形成されている。パッドは、ペニスに合わせて案内線を適宜の長さだけ裂いてペニス挿入孔を作り、ペニスを挿入孔からパッドの内部に挿入して使用する。
【０００３】
【発明が解決しようとする課題】
特開平９−３８１２６号公報に開示のパッドは、ペニスをパッドの内部に挿入することができるように、挿入孔を開口させるとともに、袋の内部に空間を作らなければならない。開口と空間とを作るためには、袋の両側部を袋の幅方向内方へ押圧しながら、挿入孔を広げなければならないので、開口と空間とを作るために手間を要する。パッドは上下端部と左右側部とが互いに固着された扁平のものなので、押圧することをやめると空間がすぐに塞がってしまう。パッドは、その平面形状が矩形のものなので、袋を使用するときに袋の下端部が使用者の股間でつぶされてしまったり、使用者に違和感を与えることがある。
【０００４】
本発明の課題は、塞がり難い開口と空間とを簡単に作ることができ、袋の下部が使用者の股間に適合して使用者に違和感を与えることのない男性用の使い捨て尿取り袋を提供することにある。
【０００５】
【課題を解決するための手段】
前述した課題を解決するための本発明は、互いに重なり合う前面部と後面部とから袋が形成され、前記前面部と前記後面部とが、前記袋の内側に位置する可撓性かつ透液性表面シートと、前記袋の外側に位置する可撓性かつ不透液性裏面シートと、前記表裏面シートの間に介在する半剛性かつ吸液性コアとから形成され、前記袋が、互いに対向して長手方向へ延びる両側部と、互いに対向して幅方向へ延びる上下端部とを有し、ペニスを挿脱可能なペニス挿入部が、前記袋の上端部に形成された男性用使い捨て尿取り袋を改良することにある。
【０００６】
改良に係る本発明が特徴とするところは、前記尿取り袋には、その下端部の幅方向中央から上端部に向かって凸となる逆Ｖ形の凹陥部と、前記凹陥部の幅方向両側に位置して前記上端部から前記下端部に向かって次第に幅が狭くなる先細形状の一対の脚部とが形成され、前記尿取り袋では、前記脚部どうしが幅方向内方へ移動かつ互いに当接することで、該尿取り袋がその上端部から下端部に向かって次第に幅が狭くなる先細り形状を呈するとともに、前記前面部と前記後面部とが互いに離間して前記尿取り袋の内部に空間が形成されることにある。
【０００７】
本発明の実施の形態の一例として、前記脚部の少なくとも一方には、それら脚部を互いに当接させたときに、それら脚部の当接状態を維持するための係着手段が形成されている。
【０００８】
本発明の実施の形態の他の一例としては、前記袋の下端部から前記凹陥部の頂部までの寸法が、前記袋の上下端部の間の寸法の１０〜５０％の範囲にある。
【０００９】
【発明の実施の形態】
添付の図面を参照して、本発明に係る男性用使い捨て尿取り袋の詳細を説明すると、以下のとおりである。
【００１０】
図１，２は、前面部１ａの側から示す使い捨て尿取り袋１の部分破断斜視図と、展開した状態で示す図１の袋１の平面図とであり、図３は、図１のＡ−Ａ線矢視断面図である。袋１は、互いに重なり合う前面部１ａと後面部１ｂとから形成されている。前面部１ａおよび後面部１ｂは、袋１の内側に位置する可撓性かつ透液性表面シート２と、袋１の外側に位置する可撓性かつ不透液性裏面シート３と、表裏面シート２，３の間に介在してそれらシート２，３のうちの少なくとも一方の内面に接合された半剛性かつ吸液性コア４とから形成されている。
【００１１】
袋１は、互いに対向して長手方向へ延びる両側部１ｃと、互いに対向して長手方向と交差する幅方向へ延びる上下端部１ｄ，１ｅとを有する。袋１の上端部１ｄにおける前面部１ａの側には、ペニスを挿脱可能な略Ｖ形のペニス挿入部５が形成されている。
【００１２】
袋１の下部には、袋１の両側部１ｃと下端部１ｅとが交差する角部１ｆから袋１の幅方向中央部であって上端部１ｄへ向かい凸となる略逆Ｖ形の凹陥部７が形成されている。凹陥部７には、表裏面シート２，３とコア４とが存在しない。凹陥部７の幅方向両側には、袋１の上端部１ｄから下端部１ｅへ向かって次第に幅が狭くなる先細形状の一対の脚部１ｇが形成されている。
【００１３】
脚部１ｇの一方には、その外面に粘着剤１０ａが塗布された止着テープ１０が取り付けられている。粘着剤１０ａは、剥離可能な剥離紙１０ｂで被覆保護されている（図３参照）。脚部１ｇの他方には、プラスチックフィルムからなる受止テープ１１が取り付けられている。受止テープ１１は、止着テープ１０の止着域となる。
【００１４】
袋１には、上端部１ｄに沿ってシール部８が袋１の幅方向へ延び、凹陥部７の縁に沿ってシール部８が袋１の幅方向へ延びている。前面部１ａの中央には、袋１の長手方向へシール部９が延びている。袋１の挿入部５には、袋１の上端部１ｄに沿ってスポンジ状のクッション部材６が取り付けられている。
【００１５】
袋１は、図２に示す積層パネル２０から作ることができる。パネル２０は、可撓性かつ透液性表面シート２と可撓性かつ不透液性裏面シート３との間に半剛性かつ吸液性コア４を介在させ、パネル２０の周縁部において表面シート２と裏面シート３とを互いに固着したものであり、その下端部２０ｅがパネル２０の幅方向へ向かってジクザグに延びている。
【００１６】
袋１を作る一例としては、図２のパネル２０を長手方向中心線Ｘ１を挟んで左右一対の部分２０ａ，２０ｂに区分し、それら部分２０ａ，２０ｂをさらに左右一対に区分する長手方向区分線Ｘ２，Ｘ３で折曲する。パネル２０は、中心線Ｘ１と区分線Ｘ２との間の部分２０ａ２に、区分線Ｘ２とパネル２０の側部２０ｃとの間の部分２０ａ１を重ね合わせるとともに、中心線Ｘ１と区分線Ｘ３との間の部分２０ｂ２に、区分線Ｘ３とパネル２０の側部２０ｃとの間の部分２０ｂ１を重ね合わせる。それら部分２０ａ１，２０ａ２，２０ｂ１，２０ｂ２を重ね合わせた後に、パネル２０の両側部２０ｃと上下端部２０ｄ，２０ｅとを、それら側部２０ｃとそれら端部２０ｄ，２０ｅとに沿って延びるシール部８，９で固着する。
【００１７】
パネル２０は、区分線Ｘ２，Ｘ３の間の部分２０ａ２，２０ｂ２が袋１の後面部１ｂを形成し、区分線Ｘ２，Ｘ３とパネル２０の両側部２０ｃとの間の部分２０ａ１，２０ｂ１が袋１の前面部１ａを形成する。パネル２０は、パネル２０の両側部２０ｃと上端部２０ｄとが交差する角に斜切部２０ｆを有し、斜切部２０ｆを固着しないことにより袋１に挿入部５が形成される。
【００１８】
前面部１ａのシール部９では、図３に示すように、表面シート２の内面どうしが互いに重なり合って固着され、表面シート２からさらに図の上方へ延出する裏面シート３の内面どうしが互いに重なり合って固着されている。コア４は、袋１の両側部１ｃで折り曲げられ、前面部１ａと後面部１ｂとにおいて袋１の幅方向内方へ延びている。止着テープ１０と受止テープ１１とは、袋１の前面部１ａの側における裏面シート３の外面に固着されている。
【００１９】
図４，５は、袋１の内部に空間を形成したときの図１の袋１の斜視図である。図１の状態から袋１の前面部１ａと後面部１ｂとを互いに離間する方向へ引っ張ると、袋１の挿入部５が口をあけるとともに、袋１の内部に空間が形成される。
【００２０】
図４の状態からさらに前面部１ａと後面部１ｂとを引き離すと、両脚部１ｇの間に凹陥部７が形成され、凹陥部７に表裏面シート２，３やコア４が存在しないので、図５に示すように、両脚部１ｇが袋１の幅方向内方へ移動して互いに当接し、袋１の下部がその上端部１ｄから下端部１ｅへ向かって幅が狭い先細形状を呈するようになる。止着テープ１０から剥離紙１０ｂを剥がし、粘着剤１０ａを介して受止テープ１１に止着テープ１０を止着することで、袋１の下部の先細形状を維持することができ、袋１の内部の空間と一度口をあけた挿入部５とが塞がってしまうことを防ぐことができる。
【００２１】
袋１は、挿入部５から袋１の内部にペニスを挿入して使用する。袋１は、その下部が先細形状を呈するので、袋１の下部を使用者の股下部に位置させると、袋１を使用したときに、袋１の下部が使用者の股間に納まって、袋１を使用したことによる違和感がない。
【００２２】
袋１は、脚部１ｇの長さ寸法Ｌ２が袋１の上下端部１ａ，１ｂの間の長さ寸法Ｌ１の１０〜５０％の範囲にあることが好ましい（図１参照）。長さ寸法Ｌ２が長さ寸法Ｌ１の１０％より小さいと、袋１の内部に空間を形成することはできるが、両脚部１ｇを互いに当接させることが困難になり、袋１の下部を先細形状にすることができない。長さ寸法Ｌ２が長さ寸法Ｌ１の５０％を超えると、袋１の下部を先細形状にすることはできるが、袋１の内部の空間が小さくなって尿を吸収するための充分な容積を得ることができなくなる。
【００２３】
表面シート２には、不織布や開孔プラスチックフィルム等の可撓性かつ透液性のシート、好ましくは透液性であって親水性のシートが使用される。裏面シート３には、可撓性かつ不透液性のプラスチックフィルム、プラスチックフィルムと可撓性かつ疎水性不織布とのラミネートシート、好ましくは通気不透液性のシートが使用される。
【００２４】
不織布としては、エアースルー、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００２５】
コア４は、主としてフラッフパルプと超吸収性ヒドロゲル粒子との混合物が圧縮されて、その全体がティシュペーパ等の透水性シート（図示せず）によって被覆されている。ゆえに、表裏面シート２，３よりも剛性が大きく、表裏面シート２，３との比較において半剛性である。
【００２６】
脚部１ｇには、止着テープ１０と受止テープ１１とを前面部１ａの側と後面部１ｂの側とに取り付けることができる。脚部１ｇには、止着テープ１０と受止テープ１１との他に、商品名マジックテープやベルクロで知られるメカニカルファスナを取り付けることもできる。この場合は、脚部１ｇの一方にメカニカルファスナのうちのフック部材を固着し、脚部１ｇの他方にフック部材が係合可能なループ部材を固着する。クッション部材６としては、ポリウレタンフォーム、合成ゴムフォーム、ポリスチレンフォームのいずれかを使用することができる。
【００２７】
シート２，３の固着やコア４の接合、クッション部材６の取り付け等には、ホットメルト接着剤等の接着剤や粘着剤、または、ソニックシールやヒートシール等の熱融着の技術を利用することができる。
【００２８】
【００２９】
【発明の効果】
本発明に係る男性用使い捨て尿取り袋によれば、互いに重なり合う前面部と後面部とを離間させるだけで、袋の内部に空間を簡単に作ることができる。袋は、両脚部が互いに当接すると、袋の下部がその下端部へ向かって先細形状を呈する。ゆえに、袋の使用時に下部を使用者の股下部に位置させると、下部が使用者の股間に納まって、袋を使用したことによる違和感を与えることがない。
【００３０】
袋は、脚部に係着手段が形成されているので、当接した脚部どうしが離間することを防ぐことができ、袋の下部の先細形状を維持しつつ、袋の内部の空間と一度口をあけた挿入部とが塞がってしまうことを防ぐことができる。
【図面の簡単な説明】
【図１】前面部の側から示す使い捨て尿取り袋の部分破断斜視図。
【図２】展開した状態で示す図１の袋の平面図。
【図３】図１のＡ−Ａ線矢視断面図。
【図４】袋の内部に空間を形成したときの図１の袋の斜視図。
【図５】袋の内部に空間を形成したときの図１の袋の斜視図。
【符号の説明】
１      男性用使い捨て尿取り袋
１ａ    前面部
１ｂ    後面部
１ｄ    上端部
１ｅ    下端部
１ｇ    脚部
２      表面シート
３      裏面シート
４      コア
５      挿入部
７      凹陥部
１０      止着テープ
１０ａ    粘着剤
１０ｂ    剥離紙
１１    プラスチックフィルム
Ｌ１      長さ寸法
Ｌ２      長さ寸法
【図１】
0003727809.tif 000002
【図２】
0003727809.tif 000003
【図３】
0003727809.tif 000004
【図４】
0003727809.tif 000005
【図５】
0003727809.tif 000006